(57)【要約】【課題】  垂設管部に、その下端から斜め上方へ延設された立上がり管部を設けたＶ型排水トラップは、形態が複雑で、ブロー成形、インジェクション成形するに当って、困難を要している。【解決手段】  排水口に設けられた接続継手をもって接続する垂設管部と、該垂設管部の下端から斜め上方へ延設され、その上端部を排水管へ接続する立上がり管部とで構成される排水トラップであって、レリースワイヤ挿入口筒を垂設管部、叉は立上がり管部に形成し、垂設管部に形成する場合は、立上がり管部に並列し、また、立上がり管部に形成する場合は、垂設管部に並列させ、インジェクション成形時に、レリースワイヤ挿入口筒の中子が垂設管部叉は立上がり管部の中子を抜くときに共に同時に抜くことができる構造にするものである。【選択図】図１
2009257053.tif 000002
【特許請求の範囲】
【請求項１】
排水口に設けられた接続継手をもって接続する垂設管部と、該垂設管部の下端から斜め上方へ延設され、その端部を排水管へ接続する直状立上がり管部とで構成される排水トラップであって、立上がり管部に遠隔操作式レリースワイヤ挿入口筒を形成し、成形時において、垂設管部及びレリースワイヤ挿入口筒が、該垂設管部及びレリースワイヤ挿入口筒の中子を軸方向一方へ共に抜けるようにした構造であり、立上がり管部が垂設管部下端より斜めに延設される部分には、立上がり管部の成形時の中子が軸方向へ抜けると共に、排水の完全な水抜きを可能とする水抜き孔が形成されることを特徴とするＶ型排水トラップ。
【請求項２】
排水口に設けられた接続継手をもって接続する垂設管部と、該垂設管部の下端から斜め上方へ延設され、その端部を排水管へ接続する直状立上がり管部とで構成される排水トラップであって、垂設管部または立上がり管部のどちらか一方に遠隔操作式レリースワイヤ挿入口筒を形成し、成形時において、垂設管部及び立上がり管部の中子を抜く際に、レリースワイヤ挿入口筒が形成されていない該立上がり管部または垂設管部のどちらか一方と、レリースワイヤ挿入口筒の中子を同一方向へ共に抜けるようにした構造であることを特徴とするＶ型排水トラップ。
【発明の詳細な説明】
【技術分野】
【０００１】  本発明は、洗面器、流し、及び手洗い器の排水トラップに関するものである。
【背景技術】
【０００２】  従来、洗面器、流し、及び手洗い器の排水トラップは、Ｓ型排水トラップが一般的であった。
Ｓ型排水トラップは、成形の為に、洗面器、流し、及び手洗い器の排水口金具に取付けられるＵ字管と、該Ｕ字管に接続する逆Ｕ字管とで構成される。
尚、Ｕ字管のＵ字部分の底部には、水抜き孔が設けられ、水抜きキャップが施されているものもある。
しかし、Ｓ型排水トラップは、Ｕ字管による接続で、構造が嵩張り、且つ接続箇所が多くて漏れ防止のためにも作業を面倒にしていた。そして、清掃においても、屈曲し、構造が複雑であるので作業を困難としていた。
そこで、部品点数を少なくして、接続箇所を減少し、構造を簡単化することによって、洗面器、流し、及び手洗い器等の下部空間を広く確保する構造の排水トラップが求められ、排水口金具に取付けられた垂設管部に、その下端から斜め上方へ延設された立上がり管部を設けて、Ｖ型排水トラップを構成したものがある。【０００３】
【特許文献１】  特開平１０−１８３７１６
【発明の開示】
【発明が解決しようとする課題】
【０００４】  垂設管部に、その下端から斜め上方へ延設された立上がり管部を設けた従来におけるＶ型排水トラップは、立上がり管部の断面を横矩形状にしたり、封水面上方の壁部分にオーバフロー管の接続孔、及び栓蓋開閉操作のレリースワイヤを挿通する孔等が設けられたものであったが、これらＶ型排水トラップは、形態が複雑であるので、ブロー成形、インジェクション成形するに当って、困難を要するものであった。【０００５】  そこで、本発明は、成形し易い構成のＶ型排水トラップが得られることを目的とする。
【課題を解決するための手段】
【０００６】  本発明のＶ型排水トラップは、排水口に設けられた接続継手をもって接続する垂設管部と、該垂設管部の下端から斜め上方へ延設され、その端部を排水管へ接続する直状立上がり管部とで構成される排水トラップであって、立上がり管部に遠隔操作式レリースワイヤ挿入口筒を形成し、成形時において、垂設管部及びレリースワイヤ挿入口筒が、該垂設管部及びレリースワイヤ挿入口筒の中子を軸方向一方へ共に抜けるようにした構造であり、立上がり管部が垂設管部下端より斜めに延設されるその端部分には、立上がり管部の成形時の中子が軸方向へ抜けると共に、排水の完全な水抜きを可能とする水抜き孔が形成されることを特徴とするものである。【０００７】  本発明のＶ型排水トラップは、排水口に設けられた接続継手をもって接続する垂設管部と、該垂設管部の下端から斜め上方へ延設され、その端部を排水管へ接続する直状立上がり管部とで構成される排水トラップであって、垂設管部または立上がり管部のどちらか一方に遠隔操作式レリースワイヤ挿入口筒を形成し、成形時において、垂設管部及び立上がり管部の中子を抜く際に、レリースワイヤ挿入口筒が形成されていない該立上がり管部または垂設管部のどちらか一方と、レリースワイヤ挿入口筒の中子を同一方向へ共に抜けるようにした構造であることを特徴とするものである。
【発明の効果】
【０００８】  本発明のＶ型排水トラップは、直状の垂設管部と、該垂設管部の下端から斜め上方へ延設される直状の立上がり管部とで構成され、これらは、直状であるが故に、成形時において、それらの中子を軸方向一方からのみ抜くことができ、立上がり管部には栓蓋の開閉を遠隔操作するレリースワイヤのレリースワイヤ挿入口筒が形成されていても、その中子をも垂設管部の中子が抜かれるとき、同時に同方向へ共に抜くことができるので、単純構造にして、インジェクション成形を手間暇かけずに容易且つ簡単にできる。
よって、本発明のＶ型排水トラップは、単純構造で、且つ部品点数を減らすことができる上、排水口に設けられる接続継手やＶ型トラップ経過後の排水をする排水管への接続部が封水線より下にならないようにできるので、漏れの心配なく出来る。【０００９】  本発明のＶ型排水トラップは、直状の垂設管部と、該垂設管部の下端から斜め上方へ延設される直状の立上がり管部とで構成され、これらは、直状であるが故に、成形時において、それらの中子を軸方向一方からのみ抜くことができ、垂設管部または立上がり管部のどちらか一方にレリースワイヤ挿入口筒が形成されていても、その中子を、レリースワイヤ挿入口筒が形成されていない垂設管部または立上がり管部の中子を抜くとき、同時に同方向へ共に抜くことができる。よって、単純構造にして、インジェクション成形を手間暇かけずに容易且つ簡単にできる。
したがって、本発明のＶ型トラップは、部品点数を極減することができ、しかも、排水口に設けられた接続継手や、Ｖ型排水トラップ経過後の排水をする排水管への接続が封水線より下に位置しないようにできるので、漏れの心配がないようにできる。【００１０】  本発明のＶ型排水トラップは、排水口に設けられた接続継手をもって接続する垂設管部と、該垂設管部の下端から斜め上方へ延設され、その端部を排水管へ接続する直状立上がり管部とで構成されているので、一般のＳ型排水トラップのＵ字管と逆Ｕ字管とで構成されたものからすると、立上がり管部の位置を垂設管部へより近接させることができ、排水トラップの占める箇所を狭い範囲にすることができて、省スペースに貢献することができる。【００１１】  本発明のＶ型排水トラップは、垂設管部の下端から斜め上方へ立上がり管部が延設される構成とし、垂設管部、立上がり管部を直状とすることによって、これらに流れる排水が紆余曲折されることなく真直ぐに流れるので、そこに淀みや、渦を起さず、よって、排水に減速がなく、自浄性を良好にして、且つ排水効率よくできる。
【発明を実施するための形態】
【００１２】  本発明のＶ型排水トラップは、直状垂設管部と、該垂設管部の下端から斜め上方へ延設された直状立上がり管部とでなるものである。
【実施例１】
【００１３】  本発明のＶ型排水トラップにおける実施例１は、図１に示す如く、Ｖ型排水トラップＡが、直状の垂設管部１と、該垂設管部の下端から斜め上方へ延設される直状の立上がり管部２とから構成される。垂設管部１は、ボウルの排水口に設けられた接続継手３をもって接続する直状管部であり、立上がり管部２は、その上端部２１を排水管４へ接続する直状管部である。
立上がり管部２には、栓蓋５の開閉を遠隔操作するレリースワイヤ６の挿通がされるレリースワイヤ挿入口筒２２を形成し、立上がり管部２が垂設管部１の下端より斜め上方へ延設されるその下端部分には、水抜き孔２３が形成され、水抜きキャップ７が施されている。
垂設管部１と、該垂設管部の下端から上方へ延設される立上がり管部２、及び該立上がり管部に形成されるレリースワイヤ挿入口筒２２と間には、補強のための補強リブ１２が形成されている。
Ｖ型排水トラップＡは、立上がり管部２に形成されたレリースワイヤ挿入口筒２２が垂設管部１と並列され、該垂設管部と共に直状管をなしているので、インジェクション成形時において、垂設管部１及びレリースワイヤ挿入口筒２２の中子を軸方向一方へ共に抜くことができるようにした構造であり、立上がり管部２が直状管であり、垂設管部１下端より斜めに延設されるその端部分には、排水の完全な水抜きを可能とする水抜き孔２３が形成されているので、インジェクション成形時において、該水抜き孔から立上がり管部の中子を軸方向へ抜出し得る構造になっている。【００１４】  レリースワイヤ挿入口筒２２をシール被冠したシールキャップ２２１を介してレリースワイヤ挿入口筒２２へ挿通されたレリースワイヤ６は、その作動部６１が垂設管部１上端部に支持部材６２をもって支持される。そして、レリースワイヤ６が取付けられたＶ型排水トラップＡは袋ナット３１をもって接続継手３に締結され、また、袋ナット４１をもって排水管４に締結される。
接続継手３は、洗面器、流し、及び手洗い器のボウル８の排水口８１にネジ止め及びナット締めなどして設けられ、ボウル８のオーバーフロー孔よりのオーバーフロー路が形成され、オーバーフロー管９を配設している。
なお、図中、５１はヘアキャッチャー、５２は栓蓋軸である。
【実施例２】
【００１５】  本発明の実施例２によるＶ型排水トラップＢは、図２に示す如く、垂設管部１ａと、該垂設管部の下端から斜め上方へ延設される立上がり管部２ａとから構成される。垂設管部１ａは、ボウルの排水口に設けられた接続継手３をもって接続する直状管部であり、立上がり管部２ａは、その上端部２１ａを排水管４ａへ接続する直状管部である。
垂設管部１ａには、栓蓋５の開閉を遠隔操作するレリースワイヤ６の挿通がされるレリースワイヤ挿入口筒１１ａを形成し、垂設管部１ａの下端から上方へ延設される立上がり管部２ａと、垂設管部１ａ、及び該垂設管部に形成されるレリースワイヤ挿入口筒１１ａと間には、補強のための補強リブ１２ａが形成されている。
Ｖ型排水トラップＢは、垂設管部１ａに形成されたレリースワイヤ挿入口筒１１ａが立上がり管部２ａと並列され、該立上がり管部２ａと共に直状管部をなしているので、インジェクション成形時において、立上がり管部２ａ及びレリースワイヤ挿入口筒１１ａの中子を軸方向一方へ共に抜くことができるようにした構造であり、垂設管部１ａが直状管部であるので、インジェクション成形時において、該垂設管部の中子を軸方向一方へ抜き出し得る構造になっている。【００１６】  レリースワイヤ挿入口筒１１ａがシール被冠されるシールキャップ１１１を介してレリースワイヤ挿入口筒１１ａへ挿通されたレリースワイヤ６は、その作動部６１が垂設管部１ａ上端部に支持部材６２をもって支持される。そして、レリースワイヤ６が取付けられたＶ型排水トラップＢは、袋ナット３１をもって接続継手３に締結され、また袋ナット４１をもって排水管４ａに締結される。
なお、図中、８は、洗面器、流し、手洗い器のボウル、８１は、その排水口、そして９は、接続継手３に設けられたオーバーフロー路のオーバーフロー管である。
【図面の簡単な説明】
【００１７】
【図１】  実施例１によるＶ型排水トラップの断面図である。
【図２】  実施例２によるＶ型排水トラップの断面図である。
【符号の説明】
【００１８】１        垂設管部
１ａ      垂設管部
１１ａ    レリースワイヤ挿入口筒
１１１    シールキャップ
１２      補強リブ
１２ａ    補強リブ
２        立上がり管部
２ａ      立上がり管部
２１      上端部
２１ａ    上端部
２２      レリースワイヤ挿入口筒
２２１    シールキャップ
２３      水抜き孔
３        接続継手
３１      袋ナット
４        排水管
４ａ      排水管
４１      袋ナット
５        栓蓋
５１      ヘアキャッチャー
５２      栓蓋軸
６        レリースワイヤ
６１      作動部
６２      支持部材
７        水抜きキャップ
８        ボウル
８１      排水口
９        オーバーフロー管
【図１】
2009257053.tif 000003
【図２】
2009257053.tif 000004